(57)【特許請求の範囲】
【請求項１】
ＧＰＳアンテナへの給電部とＧＰＳアンテナ出力用のプリアンプ部とを実装している受信回路基板に、給電部とプリアンプ部とを隔離するグランドを設けているとともに、受信回路基板の給電部とＧＰＳアンテナとが上記受信回路基板の一面側において接続されており、上記受信回路基板の他面側に上記プリアンプ部の出力部が設けられていることを特徴とするＧＰＳセンサ。
【請求項２】
ＧＰＳアンテナへの給電部とＧＰＳアンテナ出力用のプリアンプ部とを実装している受信回路基板に、給電部とプリアンプ部とを隔離するグランドを設けているとともに、上記受信回路基板の内層にプリアンプ部の出力部の線パターンを設け、この線パターンの上下に銅箔グランド面からなる上記グランドを設けていることを特徴とすることを特徴とするＧＰＳセンサ。
【発明の詳細な説明】
【０００１】
【発明の属する技術分野】
本発明はＧＰＳセンサ、殊にＧＰＳアンテナと受信回路を一体にした小型のＧＰＳセンサに関するものである。
【０００２】
【従来の技術】
ＧＰＳアンテナと受信回路を一体にした小型ＧＰＳセンサ１がある。図２に一例を示す。細長い矩形状となっているケース１０内にシールドカバー３で覆った受信回路基板２を配置しているとともに、シールドカバー１３上にＧＰＳアンテナ４を配置している。図中４０はＧＰＳアンテナ４から突出して受信回路基板２に接続された給電ピン、１１は外部との接続用のコネクタである。
【０００３】
このようなＧＰＳセンサ１では、その受信回路基板２上に上記給電ピン４０が接続される給電部２０のほかに、図３に示すところのプリアンプ部２１とＲＦ部２２と演算処理部２３とを配置実装することになる。
【０００４】
【発明が解決しようとする課題】
ここにおいて、受信回路基板２が細長いものであると、図１０に示すように、給電部２０とプリアンプ部２１とが近接して配置されることになるが、プリアンプ部２１で増幅された信号の漏れが給電部２０に再入力することで発振が発生することがあるほか、発振が生じない場合でも、ＲＦ部２２や演算処理部２３の振動発振子の高調波や復調に使用する高周波成分が給電部２０に漏れとして入力して、受信感度を劣化させてしまう。このような傾向は、給電ピン４０が露出している側において大きい。
【０００５】
本発明はこのような点に鑑みなされたものであって、その目的とするところは給電部とプリアンプ部とが受信回路基板上で接近していても、これが受信感度の劣化の原因となってしまうことがないＧＰＳセンサを提供するにある。
【０００６】
【課題を解決するための手段】
しかして本発明は、ＧＰＳアンテナへの給電部とＧＰＳアンテナ出力用のプリアンプ部とを実装している受信回路基板に、給電部とプリアンプ部とを隔離するグランドを設けているとともに、受信回路基板の給電部とＧＰＳアンテナとが上記受信回路基板の一面側において接続されており、上記受信回路基板の他面側に上記プリアンプ部の出力部が設けられていることに特徴を有し、ＧＰＳアンテナへの給電部とＧＰＳアンテナ出力用のプリアンプ部とを実装している受信回路基板に、給電部とプリアンプ部とを隔離するグランドを設けているとともに、上記受信回路基板の内層にプリアンプ部の出力部の線パターンを設け、この線パターンの上下に銅箔グランド面からなる上記グランドを設けていることに他の特徴を有している。
【００１２】
【発明の実施の形態】
以下本発明を実施の形態の一例に基づいて詳述すると、ＧＰＳセンサ１の基本的構成は図２及び図３に示した前述のものと同じであって、細長い矩形状となっているケース１０内にシールドカバー３で覆った受信回路基板２を配置しているとともに、シールドカバー１３上にＧＰＳアンテナ４を配置している。そして受信回路基板２上に上記給電ピン４０が接続される給電部２０のほかに、プリアンプ部２１とＲＦ部２２と演算処理部２４とを配置実装している。
【００１３】
ここにおいて、図１は参考例を示してもので、ＧＰＳアンテナ４が給電ピン４０を介して接続される給電部２０とプリアンプ部２１との間に、受信回路基板２の銅箔パターンを用いて構成したグランド５を位置させて、上記両者をグランド５によって隔離している。このために、給電部２０への信号の再入力を防ぐことができる。この隔離用のグランド５は、受信回路基板５の銅箔パターンではなく、グランド共通の金属板で形成してもよい。
【００１４】
これに対して、本発明では、プリアンプ部２１の少なくとも出力部２５は、図４に示すように、受信回路基板２における給電部２０に接続される給電ピン４０が位置する面とは反対側の裏面に配置している。この場合、グランド５も一部を裏面側に配置する。図中２７は表裏の電気的接続のためのスルーホールである。
【００１５】
図５は本発明の他例を示している。ここではプリアンプ部２１の出力部２５の線パターンを受信回路基板２における内層に配置し、この線パターンの上下外部層に銅箔パターンからなるグランド５，５を配置して、これらグランド５，５で上記線パターンを挟み込んでいる。銅箔グランド５，５も受信回路基板２の内層パターンとして形成してもよいのはもちろんである。
【００１６】
図６及び図７に示したものは、受信回路基板２の片側で給電ピン４０が露出している側に、プリアンプ部２１（の少なくとも出力部２５）を金属板からなるグランド５で覆うことで、隔離を行っている。
【００１７】
逆に図９及び図１０に示すように、給電ピン４０側を筒状金属板からなるグランド５で覆ってもよく、この場合のグランド５はシールドカバー３と一体のものを好適に用いることができる。シールドカバー３から独立した筒状金属管からなるグランド５を半田付けでグランド共有としてもよい。
【００１８】
【発明の効果】
以上のように本発明においては、ＧＰＳアンテナへの給電部とＧＰＳアンテナ出力用のプリアンプ部とを実装している受信回路基板に、給電部とプリアンプ部とを隔離するグランドを設けている上に、受信回路基板の給電部とＧＰＳアンテナとを上記受信回路基板の一面側において接続し、上記受信回路基板の他面側に上記プリアンプ部の出力部を設けているために、もしくは上記受信回路基板の内層にプリアンプ部の出力部の線パターンを設け、この線パターンの上下に銅箔グランド面からなる上記グランドを設けているために、プリアンプ部から漏れた信号が給電部に再入力することが殆どなく、これ故に発振が生じたり受信感度低下を招いたりすることがないものであり、また、プリアンプ部と給電部とを接近させて配置することについての制限が無くなるために、基板設計の自由度が上がり、ＧＰＳセンサの小型化に有利となる。
【図面の簡単な説明】
【図１】参考例の受信回路基板の平面図である。
【図２】同上のＧＰＳセンサの全体構成を示すもので、(a)は横断面図、(b)は縦断面図である。
【図３】同上のブロック回路図である。
【図４】本発明の実施の形態の一例における受信回路基板の平面図である。
【図５】同上の他例における受信回路基板の平面図である。
【図６】別の例における受信回路基板の平面図である。
【図７】同上の横断面図である。
【図８】さらに別の例における受信回路基板の平面図である。
【図９】同上の横断面図である。
【図１０】従来例の受信回路基板の平面図である。
【符号の説明】
１  ＧＰＳセンサ
２  受信回路基板
５  グランド
２０  給電部
２１  プリアンプ部
【図１】
0004114305.tif 000002
【図２】
0004114305.tif 000003
【図３】
0004114305.tif 000004
【図４】
0004114305.tif 000005
【図５】
0004114305.tif 000006
【図６】
0004114305.tif 000007
【図７】
0004114305.tif 000008
【図８】
0004114305.tif 000009
【図９】
0004114305.tif 000010
【図１０】
0004114305.tif 000011